(57)【要約】【課題】モデム共有装置から緊急度の高いアップリンクデータを優先的に送信する。【解決手段】本発明のモデム共有システムは、複数のデジタル放送受信装置とモデム共有装置を有する。デジタル放送受信装置は、アップリンクデータをＬＡＮを介してモデム共有装置に送信するＬＡＮ送信部を具備し、モデム共有装置は、モデムと、メモリと、デジタル放送受信装置からＬＡＮを介して受信したアップリンクデータに優先度を設定し、アップリンクデータに優先度を結合したリクエストキューを生成してメモリに格納するリクエストキュー生成部と、メモリに格納されたリクエストキューの中から、優先度を基にして、最優先リクエストキューを決定する最優先リクエスト決定部と、最優先リクエストキューをメモリから読み出し、最優先リクエストキュー内のアップリンクデータを、モデムから電話線を介して、アップリンクで送信するモデム送信部とを具備する。【選択図】図１
2009081628.tif 000002
【特許請求の範囲】
【請求項１】
複数のデジタル放送受信装置と、前記複数のデジタル放送受信装置によりモデムが共有されるモデム共有装置と、を有してなるモデム共有システムであって、
前記デジタル放送受信装置は、
ＬＡＮを介して前記モデム共有装置にアップリンクデータを送信するＬＡＮ送信部を具備し、
前記モデム共有装置は、
モデムと、
メモリと、
前記デジタル放送受信装置からＬＡＮを介して受信したアップリンクデータに優先度を設定し、アップリンクデータに優先度を結合したリクエストキューを生成して、前記メモリに一時的に格納するリクエストキュー生成部と、
前記メモリに一時的に格納されたリクエストキューの中から、優先度を基にして、最優先で送信すべき最優先リクエストキューを決定する最優先リクエスト決定部と、
前記最優先リクエスト決定部で決定された最優先リクエストキューを前記メモリから読み出し、最優先リクエストキュー内のアップリンクデータを、前記モデムから電話線を介して、アップリンクで送信するモデム送信部と、を具備する、モデム共有システム。
【請求項２】
複数のデジタル放送受信装置と、前記複数のデジタル放送受信装置によりモデムが共有されるモデム共有装置と、を有してなるモデム共有システムであって、
前記デジタル放送受信装置は、
アップリンクデータに優先度を設定し、アップリンクデータに優先度を結合したリクエストキューを生成するリクエストキュー生成部と、
前記リクエストキュー生成部にて生成されたリクエストキューを、ＬＡＮを介して前記モデム共有装置に送信するＬＡＮ送信部と、を具備し、
前記モデム共有装置は、
モデムと、
メモリと、
前記デジタル放送受信装置からＬＡＮを介して受信したリクエストキューを、前記メモリに一時的に格納するリクエストキュー格納部と、
前記メモリに一時的に格納されたリクエストキューの中から、優先度を基にして、最優先で送信すべき最優先リクエストキューを決定する最優先リクエスト決定部と、
前記最優先リクエスト決定部で決定された最優先リクエストキューを前記メモリから読み出し、最優先リクエストキュー内のアップリンクデータを、前記モデムから電話線を介して、アップリンクで送信するモデム送信部と、を具備する、モデム共有システム。
【請求項３】
前記リクエストキュー生成部は、リクエストキューにアップリンクデータの送信先の電話番号をさらに結合することとし、
前記モデム送信部は、前記メモリに存在する、最優先リクエストキューとアップリンクデータの送信先の電話番号が同じリクエストキュー内のアップリンクデータを、最優先リクエストキュー内のアップリンクデータの送信に続いて、前記モデムから電話線を介して、アップリンクで送信する、請求項１または２に記載のモデム共有システム。
【請求項４】
前記最優先リクエスト決定部は、前記メモリに存在するリクエストキューのうち優先度が最も高いリクエストキューを最優先リクエストキューに決定する、請求項１から３のいずれか１項に記載のモデム共有システム。
【請求項５】
前記最優先リクエスト決定部は、前記メモリに存在するリクエストキューのうち優先度が最も高いリクエストキューが複数ある場合は、このうち最も早く到着したリクエストキューを最優先リクエストキューに決定する、請求項４に記載のモデム共有システム。
【請求項６】
複数のデジタル放送受信装置と、前記複数のデジタル放送受信装置によりモデムが共有されるモデム共有装置と、を有してなるモデム共有システムによるモデム共有方法であって、
前記デジタル放送受信装置が、ＬＡＮを介して前記モデム共有装置にアップリンクデータを送信するＬＡＮ送信ステップと、
前記モデム共有装置が、前記デジタル放送受信装置からＬＡＮを介して受信したアップリンクデータに優先度を設定し、アップリンクデータに優先度を結合したリクエストキューを生成して、メモリに一時的に格納するリクエストキュー生成ステップと、
前記モデム共有装置が、前記メモリに一時的に格納されたリクエストキューの中から、優先度を基にして、最優先で送信すべき最優先リクエストキューを決定する最優先リクエスト決定ステップと、
前記モデム共有装置が、前記決定された最優先リクエストキューを前記メモリから読み出し、最優先リクエストキュー内のアップリンクデータを、モデムから電話線を介して、アップリンクで送信するモデム送信ステップと、を有する、モデム共有方法。
【請求項７】
複数のデジタル放送受信装置と、前記複数のデジタル放送受信装置によりモデムが共有されるモデム共有装置と、を有してなるモデム共有システムによるモデム共有方法であって、
前記デジタル放送受信装置が、アップリンクデータに優先度を設定し、アップリンクデータに優先度を結合したリクエストキューを生成するリクエストキュー生成ステップと、
前記デジタル放送受信装置が、前記生成されたリクエストキューを、ＬＡＮを介して前記モデム共有装置に送信するＬＡＮ送信ステップと、
前記モデム共有装置が、前記デジタル放送受信装置からＬＡＮを介して受信したリクエストキューを、メモリに一時的に格納するリクエストキュー格納ステップと、
前記モデム共有装置が、前記メモリに一時的に格納されたリクエストキューの中から、優先度を基にして、最優先で送信すべき最優先リクエストキューを決定する最優先リクエスト決定ステップと、
前記モデム共有装置が、前記決定された最優先リクエストキューを前記メモリから読み出し、最優先リクエストキュー内のアップリンクデータを、モデムから電話線を介して、アップリンクで送信するモデム送信ステップと、を有する、モデム共有方法。
【請求項８】
モデムから電話線を介してアップリンクで送信すべきアップリンクデータを、複数のデジタル放送受信装置からＬＡＮを介して受信し、
緊急度の高い前記アップリンクデータを優先的にモデムから電話線を介してアップリンクで送信することを特徴とする、モデム共有装置。
【発明の詳細な説明】
【技術分野】
【０００１】
本発明は、複数のデジタル放送受信装置がモデムを共有するためのモデム共有システム、モデム共有方法、およびモデム共有装置に関する。
【背景技術】
【０００２】
デジタル放送受信装置には、一般的に、電話線を介してアップリンクでアップリンクデータを送信するためのモデムが搭載されている。
【０００３】
デジタル放送受信装置では、例えば、次のような場合にモデムを使用する。
（１）データ放送の放送時に、放送局にアップリンクデータを送信する場合
（２）Ｂ−ＣＡＳ（BS-Conditional Access System）カードの情報をアップリンクデータとして送信する場合
ところで、最近のデジタル放送受信装置の普及に伴い、一般家庭などで、複数のデジタル放送受信装置を設置するケースが増えている。
【０００４】
ただし、図１４に示すように、複数（図１４では、２台）のデジタル放送受信装置１００1，１００2の各々は、モデムを電話線に接続する必要があることから、設置場所が電話線の届く範囲に限定されてしまうという問題がある。
【０００５】
この問題を解決するために、例えば、特許文献１に開示されたモデム共有装置を利用することが考えられる。具体的には、複数のデジタル放送受信装置の各々が、ＬＡＮ（Local Area Network）等を介してモデム共有装置に接続してモデムを共有し、モデム共有装置のモデムから電話線を介してアップリンクデータを送信するような構成とする。
【０００６】
この構成によれば、複数のデジタル放送受信装置を、電話線の届かない範囲にも設置することができるという利点が得られる。
【特許文献１】特開２００１−１６０８２３号公報
【発明の開示】
【発明が解決しようとする課題】
【０００７】
ところで、デジタル放送受信装置から電話線を介して送信するアップリンクデータには、上記（１）のような緊急度の高いアップリンクデータや、上記（２）のような緊急度の低いアップリンクデータが含まれる。
【０００８】
しかしながら、特許文献１に開示されたモデム共有装置は、単純に、デジタル放送受信装置からの到着順にアップリンクデータを送信するものであると考えられる。そのため、緊急度の高いアップリンクデータを、緊急度の低いアップリンクデータよりも到着順が遅ければ、優先的に送信することができないという課題があった。
【０００９】
本発明の目的は、モデム共有装置から緊急度の高いアップリンクデータを優先的に送信することができるモデム共有システム、モデム共有方法、およびモデム共有装置を提供することにある。
【課題を解決するための手段】
【００１０】
本発明の第１のモデム共有システムは、
複数のデジタル放送受信装置と、前記複数のデジタル放送受信装置によりモデムが共有されるモデム共有装置と、を有してなるモデム共有システムであって、
前記デジタル放送受信装置は、
ＬＡＮを介して前記モデム共有装置にアップリンクデータを送信するＬＡＮ送信部を具備し、
前記モデム共有装置は、
モデムと、
メモリと、
前記デジタル放送受信装置からＬＡＮを介して受信したアップリンクデータに優先度を設定し、アップリンクデータに優先度を結合したリクエストキューを生成して、前記メモリに一時的に格納するリクエストキュー生成部と、
前記メモリに一時的に格納されたリクエストキューの中から、優先度を基にして、最優先で送信すべき最優先リクエストキューを決定する最優先リクエスト決定部と、
前記最優先リクエスト決定部で決定された最優先リクエストキューを前記メモリから読み出し、最優先リクエストキュー内のアップリンクデータを、前記モデムから電話線を介して、アップリンクで送信するモデム送信部と、を具備することを特徴とする。
【００１１】
本発明の第２のモデム共有システムは、
複数のデジタル放送受信装置と、前記複数のデジタル放送受信装置によりモデムが共有されるモデム共有装置と、を有してなるモデム共有システムであって、
前記デジタル放送受信装置は、
アップリンクデータに優先度を設定し、アップリンクデータに優先度を結合したリクエストキューを生成するリクエストキュー生成部と、
前記リクエストキュー生成部にて生成されたリクエストキューを、ＬＡＮを介して前記モデム共有装置に送信するＬＡＮ送信部と、を具備し、
前記モデム共有装置は、
モデムと、
メモリと、
前記デジタル放送受信装置からＬＡＮを介して受信したリクエストキューを、前記メモリに一時的に格納するリクエストキュー格納部と、
前記メモリに一時的に格納されたリクエストキューの中から、優先度を基にして、最優先で送信すべき最優先リクエストキューを決定する最優先リクエスト決定部と、
前記最優先リクエスト決定部で決定された最優先リクエストキューを前記メモリから読み出し、最優先リクエストキュー内のアップリンクデータを、前記モデムから電話線を介して、アップリンクで送信するモデム送信部と、を具備することを特徴とする。
【００１２】
本発明の第１のモデム共有方法は、
複数のデジタル放送受信装置と、前記複数のデジタル放送受信装置によりモデムが共有されるモデム共有装置と、を有してなるモデム共有システムによるモデム共有方法であって、
前記デジタル放送受信装置が、ＬＡＮを介して前記モデム共有装置にアップリンクデータを送信するＬＡＮ送信ステップと、
前記モデム共有装置が、前記デジタル放送受信装置からＬＡＮを介して受信したアップリンクデータに優先度を設定し、アップリンクデータに優先度を結合したリクエストキューを生成して、メモリに一時的に格納するリクエストキュー生成ステップと、
前記モデム共有装置が、前記メモリに一時的に格納されたリクエストキューの中から、優先度を基にして、最優先で送信すべき最優先リクエストキューを決定する最優先リクエスト決定ステップと、
前記モデム共有装置が、前記決定された最優先リクエストキューを前記メモリから読み出し、最優先リクエストキュー内のアップリンクデータを、モデムから電話線を介して、アップリンクで送信するモデム送信ステップと、を有することを特徴とする。
【００１３】
本発明の第２のモデム共有方法は、
複数のデジタル放送受信装置と、前記複数のデジタル放送受信装置によりモデムが共有されるモデム共有装置と、を有してなるモデム共有システムによるモデム共有方法であって、
前記デジタル放送受信装置が、アップリンクデータに優先度を設定し、アップリンクデータに優先度を結合したリクエストキューを生成するリクエストキュー生成ステップと、
前記デジタル放送受信装置が、前記生成されたリクエストキューを、ＬＡＮを介して前記モデム共有装置に送信するＬＡＮ送信ステップと、
前記モデム共有装置が、前記デジタル放送受信装置からＬＡＮを介して受信したリクエストキューを、メモリに一時的に格納するリクエストキュー格納ステップと、
前記モデム共有装置が、前記メモリに一時的に格納されたリクエストキューの中から、優先度を基にして、最優先で送信すべき最優先リクエストキューを決定する最優先リクエスト決定ステップと、
前記モデム共有装置が、前記決定された最優先リクエストキューを前記メモリから読み出し、最優先リクエストキュー内のアップリンクデータを、モデムから電話線を介して、アップリンクで送信するモデム送信ステップと、を有することを特徴とする。
【００１４】
本発明のモデム共有装置は、
モデムから電話線を介してアップリンクで送信すべきアップリンクデータを、複数のデジタル放送受信装置からＬＡＮを介して受信し、
緊急度の高い前記アップリンクデータを優先的にモデムから電話線を介してアップリンクで送信することを特徴とする。
【発明の効果】
【００１５】
本発明によれば、モデム共有装置は、メモリに一時的に格納されたリクエストキューの中から、優先度を基にして、最優先リクエストキューを決定し、最優先リクエストキュー内のアップリンクデータをモデムから電話線を介してアップリンクで送信する。
【００１６】
したがって、モデム共有装置は、優先度に応じて、緊急度の高いアップリンクデータ等を優先的に送信することができるという効果が得られる。
【発明を実施するための最良の形態】
【００１７】
以下に、本発明を実施するための最良の形態について図面を参照して説明する。
【００１８】
（第１の実施形態）
図１に示すように、本実施形態のモデム共有システムは、複数（図１では、２台）のデジタル放送受信装置１０1，１０2と、ハブ（HUB）２０と、モデム共有装置３０と、を有している。
【００１９】
デジタル放送受信装置１０1，１０2は、ＬＡＮを介してＨＵＢ２０経由でモデム共有装置３０に接続してモデム共有装置３０のモデムを共有し、モデム共有装置３０のモデムから電話線を介してアップリンクデータを送信する。
【００２０】
デジタル放送受信装置１０1，１０2は、例えば、ＳＴＢ（Set Top Box）タイプまたはＰＣ（Personal Computer）タイプのＢＳ／ＣＳデジタル放送受信装置である。
【００２１】
図２に示すように、デジタル放送受信装置１０1，１０2は、ＳＴＢタイプのＢＳ／ＣＳデジタル放送受信装置である場合、ＢＳ／ＣＳチューナ１０１と、Ｍｕｌｔｉ２デスクランブラ１０２と、ＴＳデマックス（Demux）１０３と、ＭＰＥＧ２デコーダ（Decoder）１０４と、ＩＣカードインターフェース１０５と、モデム（Modem）１０６と、ＬＡＮポート１０７と、制御マイコン１０８と、を有している。
【００２２】
ＢＳ／ＣＳチューナ１０１は、パラボラアンテナを介して、ＢＳ／ＣＳデジタル放送のＴＳ（Transport Stream）を受信する。
【００２３】
Ｍｕｌｔｉ２デスクランブラ１０２は、ＢＳ／ＣＳチューナ１０１で受信されたＴＳをデスクランブル（暗号解除）処理する。
【００２４】
ＴＳデマックス１０３は、Ｍｕｌｔｉ２デスクランブラ１０２でデスクランブル処理されたＴＳから映像データを分離する。
【００２５】
ＭＰＥＧ２デコーダ１０４は、ＴＳデマックス１０３で分離された映像データを、ＭＰＥＧ２データに復号する。
【００２６】
ＩＣカードインターフェース１０５、モデム１０６、ＬＡＮポート１０７は、それぞれ、Ｂ−ＣＡＳカード、電話線、ＬＡＮとのインターフェースとなる。
【００２７】
制御マイコン１０８は、上記の構成要素の制御を行う。
【００２８】
図３に示すように、デジタル放送受信装置１０1，１０2は、ＰＣタイプのＢＳ／ＣＳデジタル放送受信装置である場合、ＰＣ本体にオプションボードを組み込んだ構成となる。
【００２９】
オプションボードは、ＢＳ／ＣＳチューナ１０１と、Ｍｕｌｔｉ２デスクランブラ１０２と、ＴＳデマックス１０３と、ＭＰＥＧ２デコーダ１０４と、ＩＣカードインターフェース１０５と、制御ブリッジ１０９と、を有している。
【００３０】
ＰＣ本体は、メモリ１１０と、ＨＤＤ（Hard Disk Drive）１１１と、モデム１０６と、ＬＡＮポート１０７と、チップセット（Chipset）１１２と、ＣＰＵ（Central Processing Unit）１１３と、を有している。
【００３１】
ＢＳ／ＣＳチューナ１０１、Ｍｕｌｔｉ２デスクランブラ１０２、ＴＳデマックス１０３、ＭＰＥＧ２デコーダ１０４、ＩＣカードインターフェース１０５、モデム１０６、およびＬＡＮポート１０７は、図２に示したものと同様である。
【００３２】
メモリ１１０、ＨＤＤ１１１、チップセット１１２、およびＣＰＵ１１３は、一般的なＰＣに設けられているものと同様である。
【００３３】
制御ブリッジ１０９は、オプションボード内の上記の構成要素の制御を行う。
【００３４】
ここで、図４に示すように、制御マイコン１０８（図２参照）および制御ブリッジ１０９（図３参照）は、アップリンクデータの送信に係る構成要素として、アップリンクデータ取得部１１４と、ＬＡＮ送信部１１５と、を有している。
【００３５】
アップリンクデータ取得部１１４は、例えば、ＩＣカードインターフェース１０５に挿入されたＢ−ＣＡＳカードのデータをアップリンクデータとして取得したり、データ放送の放送時に放送局に送信するアップリンクデータを不図示の操作部から取得したりする。
【００３６】
ＬＡＮ送信部１１５は、アップリンクデータ取得部１１４で取得したアップリンクデータを、ＬＡＮポート１０７からＬＡＮを介して、モデム共有装置３０へ送信する。
【００３７】
このように、デジタル放送受信装置１０1，１０2では、アップリンクデータの送信に、一般的にＢＳ／ＣＳデジタル放送受信装置に搭載されるモデム１０６を使用しない。したがって、モデム１０６は必ずしも搭載しなくても良い。
【００３８】
なお、デジタル放送受信装置１０1，１０2が、図３に示したＰＣタイプのＢＳ／ＣＳデジタル放送受信装置である場合、アップリンクデータ取得部１１４およびＬＡＮ送信部１１５は、オプションボード側ではなく、ＰＣ本体側に実装しても良い。
【００３９】
モデム共有装置３０は、例えば、ＰＣタイプの単体のコンピュータまたは任意の装置へ組み込み可能な組み込みタイプのコンピュータである。
【００４０】
図５に示すように、モデム共有装置３０は、ＰＣタイプのコンピュータである場合、モデム３０１と、ＬＡＮポート３０２と、メモリ３０３と、ＨＤＤ３０４と、チップセット３０５と、ＣＰＵ３０６と、を有している。
【００４１】
モデム３０１、ＬＡＮポート３０２は、それぞれ、電話線、ＬＡＮとのインターフェースとなる。
【００４２】
メモリ３０３、ＨＤＤ３０４、チップセット３０５、およびＣＰＵ３０６は、一般的なＰＣに設けられているものと同様である。
【００４３】
図６に示すように、モデム共有装置３０は、組み込みタイプのコンピュータである場合、モデム３０１と、ＬＡＮポート３０２と、メモリ３０３と、ＲＯＭ（Read Only Memory）３０７と、ＣＰＵ３０６と、を有している。
【００４４】
モデム３０１およびＬＡＮポート３０２は、図５に示したものと同様である。
【００４５】
メモリ３０３、ＲＯＭ３０７、およびＣＰＵ３０６は、一般的なＰＣに設けられているものと同様である。
【００４６】
ここで、図７に示すように、ＣＰＵ３０６（図５および図６参照）は、アップリンクデータの送信に係る構成要素として、リクエストキュー生成部３０８と、最優先リクエスト決定部３０９と、モデム送信部３１０と、を有している。
【００４７】
リクエストキュー生成部３０８は、デジタル放送受信装置１０1，１０2からＬＡＮを介してＬＡＮポート３０２に受信されたアップリンクデータに優先度を設定し、図８に示すように、アップリンクデータに優先度と送信先の電話番号とを結合したリクエストキューを生成し、メモリ３０３に一時的に格納する。優先度は、緊急度が高くなるにしたがって高く設定するようにし、例えば、表１のように設定する。
【００４８】
【表１】
2009081628.tif 000003
最優先リクエスト決定部３０９は、メモリ３０３に一時的に格納されたリクエストキューの中から、これらリクエストキュー内の優先度を基にして、最優先で送信すべき最優先リクエストキューを決定する。
【００４９】
モデム送信部３１０は、最優先リクエスト決定部３０９で決定された最優先リクエストキューをメモリ３０３から読み出し、読み出した最優先リクエストキュー内のアップリンクデータを、モデム３０１から電話線を介して、アップリンクで送信する。
【００５０】
以下、本実施形態の特徴部分であるモデム共有装置３０の動作について説明する。ここでは、リクエストキュー生成部３０８により生成されたリクエストキューがすでに１以上メモリ３０３に格納されているものとする。
【００５１】
図９に示すように、まず、最優先リクエスト決定部３０９は、メモリ３０３に一定数のリクエストキューが格納されたタイミングまたは一定時間ごとのタイミングで、メモリ３０３に一時的に格納されたリクエストキューの中から、これらリクエストキュー内の優先度を基にして、最優先リクエストキューを決定する（ステップ９０１）。
【００５２】
次に、モデム送信部３１０は、最優先リクエスト決定部３０９で決定された最優先リクエストキューをメモリ３０３から取得し（ステップ９０２）、モデム３０１を電話線に接続した上で（ステップ９０３）、ステップ９０２で取得した最優先リクエストキュー内のアップリンクデータを電話線を介してアップリンクで送信する（ステップ９０４）。さらに、モデム送信部３１０は、メモリ３０３から、ステップ９０２で取得した最優先リクエストキューを削除する（ステップ９０５）。
【００５３】
また、最優先リクエストキューと送信先の電話番号が同じリクエストキューがあれば（ステップ９０６）、再度、ステップ９０２の処理に戻り、モデム送信部３１０は、そのリクエストキュー内のアップリンクデータを送信する。
【００５４】
一方、最優先リクエストキューと送信先の電話番号が同じリクエストキューがなければ、モデム送信部３１０は、モデム３０１と電話線との接続を切断する（ステップ９０７）。
【００５５】
この時点で、メモリ３０３内にリクエストキューが存在していれば（ステップ９０８）、再度、ステップ９０１の処理に戻り、リクエストキューが存在していなければ、処理を終了する。
【００５６】
ここで、ステップ９０１，９０６の処理についてさらに詳細に説明する。
【００５７】
まず、ステップ９０１の処理について説明する。
【００５８】
図１０に示すように、まず、最優先リクエスト決定部３０９は、メモリ３０３内の先頭位置の（メモリ３０３に最も早く格納された）リクエストキューを探索キューに設定するともに（ステップ１００１）、その探索キューを最優先リクエストキューに仮設定する（ステップ１００２）。
【００５９】
次に、最優先リクエスト決定部３０９は、探索キューの位置が最後（メモリ３０３に最も遅く格納された）かを確認し（ステップ１００３）、最後であれば、探索キューを最優先リクエストキューと確定し（ステップ１００８）、処理を終了する。
【００６０】
一方、最優先リクエスト決定部３０９は、探索キューの位置が最後でなければ、探索キューの位置を＋１し（ステップ１００４）、メモリ３０３内の先頭から２番目のリクエストキューを探索キューに設定する。次に、最優先リクエスト決定部３０９は、探索キュー内の優先度を確認し（ステップ１００５）、仮設定されている最優先リクエストキュー内の優先度と比較する（ステップ１００６）。もし、探索キュー内の優先度が小さい場合は、仮設定されている最優先リクエストキューを維持する。また、探索キュー内の優先度が同じである場合も、先に到着したリクエストキューを優先して送信するため、仮設定されている最優先リクエストキューを維持する。一方、探索キュー内の優先度が大きい場合は、その探索キューを最優先リクエストキューに仮設定する（ステップ１００７）。以降、ステップ１００３の処理に戻る。
【００６１】
続いて、ステップ９０６の処理について説明する。
【００６２】
図１１に示すように、まず、モデム送信部３１０は、メモリ３０３内の先頭位置のリクエストキューを探索キューに設定する（ステップ１１０１）。
【００６３】
次に、モデム送信部３１０は、探索キュー内の電話番号を確認し（ステップ１１０２）、仮設定されている最優先リクエストキュー内の電話番号と比較する（ステップ１１０３）。もし、探索キュー内の電話番号が同じであれば、その探索キューを送信することを決定する（ステップ１１０４）。
【００６４】
次に、モデム送信部３１０は、探索キューの位置が最後かを確認し（ステップ１１０５）、最後であれば、処理を終了する。一方、モデム送信部３１０は、探索キューの位置が最後でなければ、探索キューの位置を＋１し（ステップ１１０６）、メモリ３０３内の先頭から２番目のリクエストキューを探索キューに設定して、ステップ１１０２の処理に戻る。
【００６５】
上述したように本実施形態においては、モデム共有装置３０において、リクエストキュー生成部３０８は、デジタル放送受信装置１０1，１０2からＬＡＮを介して受信したアップリンクデータに優先度を設定し、アップリンクデータに優先度を結合したリクエストキューを生成して、メモリ３０３に一時的に格納し、最優先リクエスト決定部３０９は、メモリ３０３に一時的に格納されたリクエストキューの中から、優先度を基にして、最優先リクエストキューを決定し、モデム送信部３１０は、最優先リクエストキューをメモリ３０３から読み出し、最優先リクエストキュー内のアップリンクデータを、モデム３０１から電話線を介して、アップリンクで送信する。
【００６６】
したがって、モデム共有装置３０は、優先度に応じて、緊急度の高いアップリンクデータ等を優先的に送信することができるという効果が得られる。
【００６７】
また、モデム送信部３１０は、最優先リクエストキューと送信先の電話番号が同じリクエストキューがメモリ３０３内に存在すれば、そのリクエストキュー内のアップリンクデータを、最優先リクエストキュー内のアップリンクデータの送信に続いて、送信する。
【００６８】
したがって、モデム共有装置３０は、最優先リクエストキュー内のアップリンクデータの送信時に、送信先が同じアップリンクデータも併せて送信することができるという効果が得られる。
【００６９】
また、最優先リクエスト決定部３０９は、メモリ３０３に存在するリクエストキューのうち優先度が最も高いリクエストキューが複数ある場合は、このうち最も早く到着したリクエストキューを最優先リクエストキューに決定する。
【００７０】
したがって、モデム共有装置３０は、優先度が最も高いリクエストキューが複数ある場合、これらを到着順に送信することができるという効果が得られる。
【００７１】
（第２の実施形態）
本実施形態のモデム共有システムは、リクエストキューの生成を、モデム共有装置３０ではなく、デジタル放送受信装置１０1，１０2で行う点で、第１の実施形態とは異なる。
【００７２】
このため、図１２に示すように、デジタル放送受信装置１０1，１０2は、リクエストキュー生成部１１６を追加した構成となる。
【００７３】
なお、デジタル放送受信装置１０1，１０2が、図３に示したＰＣタイプのＢＳ／ＣＳデジタル放送受信装置である場合、リクエストキュー生成部１１６は、オプションボード側ではなく、ＰＣ本体側に実装しても良い。
【００７４】
一方、図１３に示すように、モデム共有装置３０は、リクエストキュー生成部３０８（図７参照）の代わりに、リクエストキュー格納部３１１を設けた構成となる。
【００７５】
この構成によれば、デジタル放送受信装置１０1，１０2においては、リクエストキュー生成部１１６は、アップリンクデータ取得部１１４で取得したアップリンクデータを基に図８に示すようなリクエストキューを生成し、ＬＡＮ送信部１１５は、リクエストキュー生成部１１６で生成されたリクエストキューを、ＬＡＮポート１０７からＬＡＮを介して、モデム共有装置３０へ送信する。
【００７６】
また、モデム共有装置３０においては、リクエストキュー格納部３１１は、デジタル放送受信装置１０1，１０2から送信されてきたリクエストキューを、メモリ３０３に一時的に格納する。
【００７７】
なお、上記以外の構成および効果は、第１の実施形態と同様である。
【図面の簡単な説明】
【００７８】
【図１】本発明のモデム共有システムの全体構成の一例を示す図である。
【図２】図１に示したデジタル放送受信装置がＳＴＢタイプのＢＳ／ＣＳデジタル放送受信装置である場合の構成の一例を示すブロック図である。
【図３】図１に示したデジタル放送受信装置がＰＣタイプのＢＳ／ＣＳデジタル放送受信装置である場合の構成の一例を示すブロック図である。
【図４】第１の実施形態に係る、図２に示した制御マイコンおよび図３に示した制御ブリッジの構成の一例を示す図である。
【図５】図１に示したモデム共有装置がＰＣタイプである場合の構成の一例を示すブロック図である。
【図６】図１に示したモデム共有装置が組み込みタイプである場合の構成の一例を示すブロック図である。
【図７】第１の実施形態に係る、図５および図６に示したＣＰＵの構成の一例を示す図である。
【図８】図７に示したリクエストキュー生成部にて生成されるリクエストキューの一例を示す図である。
【図９】図１に示したモデム共有装置の動作を説明するフローチャートである。
【図１０】図９に示したステップ９０１を詳細に説明するフローチャートである。
【図１１】図９に示したステップ９０６を詳細に説明するフローチャートである。
【図１２】第２の実施形態に係る、図２に示した制御マイコンおよび図３に示した制御ブリッジの構成の一例を示す図である。
【図１３】第２の実施形態に係る、図５および図６に示したＣＰＵの構成の一例を示す図である。
【図１４】従来のモデム共有システムの全体構成の一例を示す図である。
【符号の説明】
【００７９】
１０1，１０2    デジタル放送受信装置
２０    ハブ
３０    モデム共有装置
１０１    ＢＳ／ＣＳチューナ
１０２    Ｍｕｌｔｉ２デスクランブラ
１０３    ＴＳデマックス
１０４    ＭＰＥＧ２デコーダ
１０５    ＩＣカードインターフェース
１０６    モデム
１０７    ＬＡＮポート
１０８    制御マイコン
１０９    制御ブリッジ
１１０    メモリ
１１１    ＨＤＤ
１１２    チップセット
１１３    ＣＰＵ
１１４    アップリンクデータ取得部
１１５    ＬＡＮ送信部
１１６    リクエストキュー生成部
３０１    モデム
３０２    ＬＡＮポート
３０３    メモリ
３０４    ＨＤＤ
３０５    チップセット
３０６    ＣＰＵ
３０７    ＲＯＭ
３０８    リクエストキュー生成部
３０９    最優先リクエスト決定部
３１０    モデム送信部
３１１    リクエストキュー格納部
【図１】
2009081628.tif 000004
【図２】
2009081628.tif 000005
【図３】
2009081628.tif 000006
【図４】
2009081628.tif 000007
【図５】
2009081628.tif 000008
【図６】
2009081628.tif 000009
【図７】
2009081628.tif 000010
【図８】
2009081628.tif 000011
【図９】
2009081628.tif 000012
【図１０】
2009081628.tif 000013
【図１１】
2009081628.tif 000014
【図１２】
2009081628.tif 000015
【図１３】
2009081628.tif 000016
【図１４】
2009081628.tif 000017